(57)【要約】【課題】顕微鏡において得られる画像信号を鮮明なものとし、微細管内で高効率に分離される所望微粒子の全数検出を安定的に実施することができる微粒子検出装置を提供すること。【解決手段】微細管４の両端面４ａ、４ｂを溶液２１ａ、２１ｂに浸し、微粒子２０を含む試料を泳動液を用いて微細管電気泳動することにより、微粒子２０を検出する微粒子検出装置において、微細管４の一方の端面から微細管４内を軸方向に撮影する顕微鏡カメラ３を設ける。【選択図】図１
2008116422.tif 000002
【特許請求の範囲】
【請求項１】
微細管の両端面を溶液に浸し、微粒子を含む試料を泳動液を用いて微細管電気泳動することにより、微粒子を検出する微粒子検出装置において、微細管の一方の端面から微細管内を軸方向に撮影する顕微鏡を設けたことを特徴とする微粒子検出装置。
【請求項２】
泳動液中の微粒子を予め蛍光染色し、微細管の検出窓より微粒子に励起光を照射し、微粒子から発生する蛍光を検出するようにしたことを特徴とする請求項１記載の微粒子検出装置。
【請求項３】
微細管の両端面を溶液に浸し、微粒子を含む試料を泳動液を用いて微細管電気泳動することにより、微粒子を検出する微粒子検出装置において、微細管の一部を略直角に折曲し、該折曲部から微細管内を軸方向に撮影する顕微鏡を設けたことを特徴とする微粒子検出装置。
【請求項４】
泳動液中の微粒子を予め蛍光染色し、微細管の折曲部で微粒子に励起光を照射し、微粒子から発生する蛍光を検出するようにしたことを特徴とする請求項３記載の微粒子検出装置。
【請求項５】
顕微鏡からの検出信号を画像処理する画像処理装置を設けたことを特徴とする請求項１、２、３又は４記載の微粒子検出装置。
【発明の詳細な説明】
【技術分野】
【０００１】
本発明は、微細管電気泳動を用いて、検体試料中に存在する微粒子を検出する微粒子検出装置に関し、特に、各種微粒子（本明細書において、「微生物」を含む。）の全数を迅速かつ高感度に分離検出することができる微粒子検出装置に関するものである。
【背景技術】
【０００２】
微細管電気泳動により物質を分離検出する技術が開発されており、各種化学物質やそのイオン、さらにはＤＮＡやタンパクに代表される生体関連物質等、多岐に亘る物質の迅速かつ高感度な分析技術を提供している。
この微細管電気泳動に用いられている検出器は、目的に応じて紫外可視分光器や蛍光検出器が採用されており、微細管の検出を必要とする位置に配置し使用される。
電気泳動用の微細管の内径サイズとしては、泳動液の通液の都合から通常５０μｍ以上のものが用いられる場合が多く、また微細管電気泳動に特徴的な高分離効率を確保するために１００μｍ以下が望ましいことが知られている。
【０００３】
この微細管電気泳動では、上述の微細管サイズの範囲以下に含まれる微粒子の分離・解析にも利用することが可能であり、実際に紫外可視吸収や散乱ならびに蛍光を、フォトマルやフォトダイオードに代表される検出器により微粒子の泳動挙動の観察がなされている（非特許文献１参照）。
また、この場合の検出手段としてビデオ顕微鏡に代表される対象拡大観察装置が、微粒子の色情報を含む分光学的特性だけでなく形状や数を同時に確認できる画像情報が得られるといった点でその検出の有効な手段となっている（非特許文献２参照）。
【０００４】
しかしながら、上記従来の対象拡大観察による微粒子検出装置では、可視部に受光性能を有する検出器としてのカメラは、図５に示すように、微細管に対して略直角方向に向けられている。
したがって、当該カメラを搭載した蛍光顕微鏡により微粒子を検出する場合、微細管の奥行きに対するすべての領域に渡って焦点を合わせることはできず、どうしてもピントがぼけた画像しか得られないという問題があった（特許文献１、非特許文献２参照）。
また、本来、微細管の直角方向から光を照射して検出するため、光路長を稼ぐことができないゆえ高感度検出できない微細管電気泳動において、高感度検出する目的で微細管の軸方向に向かって光を照射する吸光検出ならびに蛍光検出型の微細管電気泳動方法が提案されているが、微細管の内径全域をカメラで捕らえる技術ではない（特許文献２参照）。
【０００５】
一方、サイトメトリー解析は、粒子１個１個をカウントしながら画像を捕らえるハイスループットな微粒子解析技術として、微生物細胞などの微粒子解析においても発展してきた（非特許文献３及び非特許文献４参照）。
サイトメトリー解析を行う装置であるフローサイトメーターは、蛍光強度を測定してさまざまな解析を行う装置が一般的で、画像観察を伴わないものが主流であったが、イメージングフローサイトメーターと呼ばれる装置が開示されている（特許文献３参照）。
このイメージングフローサイトメーターは、微粒子の色情報だけでなく形やサイズを観察できる点で優れているが、シースフローと呼ばれるガイド流体によりカメラのフォーカス範囲に細胞などの粒子が移動するように高度な調整をはかる必要があるため、蛍光検出のための光学系を含め大掛かりで高価な分析装置となる。
【特許文献１】特開平５−５２８１０号公報
【特許文献２】特開平４−３６３６５５号公報
【特許文献３】特開平５−１１９０３５号公報
【非特許文献１】鳥村政基、「キャピラリー電気泳動法による微生物の分離検出法」、月刊フードケミカル、２００５年２月、ｐ．４５−４８
【非特許文献２】Video Microscopy, The Fundamentals, Shinya Inoue, Kenneth Spring, Second Edition Plenum Press. New York, (1997)
【非特許文献３】Alvarez-Barrientos et al., 2000 Applications of flow cytometry to clinical microbiology. Clinical Microbiology Reviews. 13: 167-195
【非特許文献４】Davey et al., 1996 Flow cytometry and cell sorting of heterogeneous microbial populations: the importance of single-cell analysis. Microbiological Reviews. 60: 641-696
【発明の開示】
【発明が解決しようとする課題】
【０００６】
本発明は、上記従来の微細管内微粒子の検出装置が有する問題点に鑑み、顕微鏡において得られる画像信号を鮮明なものとし、微細管内で高効率に分離される所望微粒子の全数検出を安定的に実施することができる微粒子検出装置を提供することを目的とする。
【課題を解決するための手段】
【０００７】
上記目的を達成するため、本第１発明の微粒子検出装置は、微細管の両端面を溶液に浸し、微粒子を含む試料を泳動液を用いて微細管電気泳動することにより、微粒子を検出する微粒子検出装置において、微細管の一方の端面から微細管内を軸方向に撮影する顕微鏡を設けたことを特徴とする。
【０００８】
この場合において、泳動液中の微粒子を予め蛍光染色し、微細管の検出窓より微粒子に励起光を照射し、微粒子から発生する蛍光を検出するようにすることができる。
【０００９】
また、本第２発明の微粒子検出装置は、微細管の両端面を溶液に浸し、微粒子を含む試料を泳動液を用いて微細管電気泳動することにより、微粒子を検出する微粒子検出装置において、微細管の一部を略直角に折曲し、該折曲部から微細管内を軸方向に撮影する顕微鏡を設けたことを特徴とする。
【００１０】
この場合において、泳動液中の微粒子を予め蛍光染色し、微細管の折曲部で微粒子に励起光を照射し、微粒子から発生する蛍光を検出するようにすることができる。
【００１１】
また、顕微鏡からの検出信号を画像処理する画像処理装置を設けることができる。
【発明の効果】
【００１２】
本第１、第２発明の微粒子検出装置によれば、微細管内を軸方向に撮影する顕微鏡を設けることから、微細管中を高効率に泳動分離される微粒子の画像取得において、焦点深度（被写界深度）が浅い高倍率の対物レンズを搭載した顕微鏡カメラであっても、微細管内のすべての微粒子に対して十分焦点を合わせることが可能となり、すべての微粒子を見逃すことなく全数検出することができる効果を有する。
【００１３】
この場合において、泳動液中の微粒子を予め蛍光染色し、微細管の微粒子に励起光を照射して、微粒子から発生する蛍光を検出することにより、微粒子の種類に応じて選択的に結合する蛍光染色を利用して、微粒子の検出や識別を容易にすることができる。
【００１４】
また、顕微鏡からの検出信号を画像処理する画像処理装置を設けることにより、検出した微粒子の数や形状、色、大きさなどを精度良く検出できると同時に、それらのデータを微粒子検出制御装置内に保存することも可能となる。
また、電気泳動時間に対して記録・解析する微粒子検出信号を画像の輝度、画像の面積又は微粒子の数とすることにより、その微粒子の検出結果の詳細データが明確となる。
【発明を実施するための最良の形態】
【００１５】
以下、本発明の微粒子検出装置の実施の形態を、図面に基づいて説明する。
本発明の微粒子検出装置は、泳動液を用いた微細管電気泳動法を利用することにより、試料中に種々含まれる複数種類の微粒子を高い分離能をもってかつ再現性良く分離する。
また、この微細管電気泳動法において、検出手段として顕微鏡カメラを利用することにより、目的の微粒子を高感度に全数検出できること、また、これにより、さらに一層高い分離能でもって精度良く所望の微粒子を検出することができる。
さらに、試料中に混在する微粒子が単に検出できるだけでなく、絶対定量的に検出することができる。
【００１６】
なお、本発明でいう分析とは、試料中に含まれる所望微粒子の濃縮、分離、検出（定性的分析）、同定、定量、スクリーニング、生死判別を包含するものである。また、本発明でいう微粒子とは、哺乳動物細胞、血液細胞、バクテリア細胞、細胞オルガネラ及びウイルスを含むいずれかの生物微粒子及び非生物微粒子をいう。
具体的には、例えば、下記の一部又は全部を構成要件として備えた微粒子検出装置である。
（１）微粒子を含む試料を、泳動液を用いて微細管電気泳動する。
（２）微粒子を含む試料を微粒子に選択的に結合するように蛍光染色し、これを微細管電気泳動に供して、蛍光染色された微粒子を蛍光検出する。
（３）微細管電気泳動を用いて微粒子を検出する装置であって、泳動液を含む水槽、泳動液片端に注入された微粒子を濃縮分離する微細管、又は濃縮された微粒子を画像検出するための検出手段を備えている。
（４）検出手段として、微細管内を軸方向に撮影する顕微鏡カメラを備えており、蛍光染色した微粒子の場合には励起光照射し、蛍光染色された微粒子から発光された蛍光を光学系を用いて蛍光画像検出し、その画像信号から微粒子を検出する。
（５）特定の波長領域のみを透過させる複数種類のフィルタを、蛍光検出器の前方に設け、各フィルタを通過した微粒子の蛍光を、蛍光検出器の検出素子に結像させるようにしている。
（６）また、光学系で蛍光検出した画像信号を記録する画像信号記録装置、画像信号から微粒子を検出した微粒子検出信号を記録する微粒子検出制御装置を有する。
（７）さらには、微粒子検出信号は、画像の色と輝度、規定した色と規定した輝度以上の信号を有する画像の面積、画像を空間的、時間的に特徴付けて検出した微粒子の数等とする。
（８）微細管内拡大観察用の対物レンズ（最小１μｍ程度の微粒子を拡大して粒子の形状が観察できる程度の倍率が必要なため、４０倍以上）。
（９）対物レンズで観察した画像を受光結像するカメラ（カメラはビジコンカメラなどの走査理光電検出器でも、ＣＣＤなどの二次元検出器でもよい）。
（１０）微粒子検出器からの検出信号を画像処理する画像処理装置。
【実施例１】
【００１７】
図１に、本発明の微粒子検出装置の基本的構成を一実施例として示す。
この微粒子検出装置１は、微粒子を含む試料を泳動液を用いて微細管電気泳動することにより微粒子を検出するもので、微細管４の両端面４ａ、４ｂを溶液２１ａ、２１ｂに浸し、微細管４内を泳動する微粒子２０を、微細管４の一方の端面４ｂにおける溶液２１ｂ内において、微細管４の軸方向から顕微鏡カメラ３により検出するようにしている。
また、この微粒子検出装置１は、泳動液中の微粒子２０を予め蛍光染色し、微細管４の端面４ｂの近傍に設けた検出窓５から、微粒子２０に対して励起光７を照射し、微粒子２０より発する蛍光を検出するようにしている。
顕微鏡カメラ３からの検出信号は、画像処理装置１４により画像処理され、微粒子検出制御装置６に記録される。
なお、顕微鏡カメラの撮影を溶液２１ｂ内で行うことにより、光の屈折を低減することができる。
【００１８】
なお、図１において、２はダイオード等の励起光発光器、２ａは励起光集光部、１０は対物レンズ、１１は接眼レンズ、１２はＣＣＤカメラからなる蛍光検出器、１３はカメラの観察画像領域、２２は高圧電源、２２ａ、２２ｂは電極、３０は検体溶液を示している。
【００１９】
一般に、顕微分光カメラにおいて、観察光の波長をλとした場合、分解能δと、ピントの合う範囲すなわち焦点深度（被写界深度）ｄの間には、対物レンズの開口数をＮＡとすると、
式１：δ＝λ／（２・ＮＡ）
式２：ｄ＝λ／（２・ＮＡ・ＮＡ）
したがって
式３：δ２＝（λ／２）・ｄ
の関係がある。
すなわち、分解能を高く（δを小さくする）する程、焦点深度（被写界深度）ｄが浅く（ｄが小さく）なる。
例えば、５５０μｍの波長の場合で計算すると、例えば４倍の対物レンズの場合は焦点深度（被写界深度）ｄは２７．５μｍ（分解能は２．７５μｍ）、１０倍の対物レンズの場合は焦点深度（被写界深度）ｄは２．６９μｍ（分解能は０．８６μｍ）、２０倍の対物レンズの場合は焦点深度（被写界深度）ｄは１．７２μｍ（分解能は０．６９μｍ）、また、４０倍の対物レンズの場合は、焦点深度（被写界深度）ｄは０．６５μｍ（分解能は０．４２μｍ）と極端に浅くなる。
したがって、検出しようとする微粒子の大きさ、微細管の内径の大きさ、励起光の集光特性に合わせて最適倍率の蛍光顕微鏡を使用することができる。
【００２０】
検出対象物である微粒子、例えば、微生物は、予め所望の微生物とのみ選択的に結合するように蛍光染色しておき、例えば、キャピラリー等の微細管４の内部に、その端面に設置した溶液２１ａより注入する。
そして、電極２２ａ、２２ｂにより微細管４の両端に高圧電源を印加する。高電圧の供給において、その電圧の大きさ、印加時間等は、例えば、パソコン等の微粒子検出制御装置６より制御する。
【００２１】
励起光発光器２から発した励起光は、励起フィルタ、スリット、シリンドリカルレンズなどの組み合わせで構成される励起光集光部２ａで、対物レンズの焦点深度（被写界深度）ｄに近づけるよう十分集光してＣＣＤカメラのピントの合う位置に、励起光７として選択的に照射され、蛍光染色された微粒子２０がその位置を通過する時に照射される。
【００２２】
蛍光染色された微粒子２０は蛍光を発光し、対物レンズ１０より顕微鏡本体内に入射し、図示しない蛍光フィルタなどを透過し、その蛍光は蛍光検出器（ＣＣＤカメラ）１２に結像する。
このとき、微粒子の種類に応じて結合する蛍光染色の特性に基づき、発する蛍光は種々の波長を有する。
例えば、ＬＩＶＥ／ＤＥＡＤ試薬（Invitrogen社製）で蛍光染色した微生物に対して、青色の励起光を微生物に照射した場合、生菌の場合緑色の蛍光を発し、死菌の場合赤色の蛍光を発する。
【００２３】
これらの蛍光は、ＣＣＤカメラ等で構成される蛍光検出器１２の直前に設置した図示しないフィルタを通過した後、蛍光検出器１２に結像し、その画像信号は微粒子検出制御装置６に送られ、検出処理される。
この検出画像信号は、微粒子検出制御装置６の画像信号記録装置に記録される。
【００２４】
図２は、ＣＣＤカメラ等で構成される蛍光検出器１２で観察される微粒子２０と微細管４の画像である。
この画像中には、溶液３０中に存在する蛍光微粒子が焦点深度（被写界深度）ｄ内に存在しピントが合った場合の微粒子２０ａと、焦点深度（被写界深度）ｄの範囲外のピントが合わない微粒子２０ｂとが映っている。
本実施例の微粒子検出装置では、溶液２１ａ側から導入された微粒子２０は、電気泳動により経時的に、まず焦点深度（被写界深度）ｄ外のピントの合わない微粒子として現れ始め、次にピントが合った画像に変化し、再び焦点深度（被写界深度）ｄ範囲外のピントの合わない微粒子画像へと変化した後、画面から消失する。
【００２５】
また、焦点深度（被写界深度）ｄの範囲外のピントが合わない微粒子画像の発現を極力抑えることは、正確な解析にとって重要であり、その際に励起光集光部２ａは必要不可欠である。
ここで、目的微粒子だけを選択的に観察する場合には、蛍光を蛍光検出器（ＣＣＤカメラ）１２に結像させる時、蛍光検出器（ＣＣＤカメラ）１２の直前に設けたフィルタ（図示省略）を所望の波長の蛍光のみを通過させるような特性に構成すれば、所望の特性の蛍光のみを選択的に取得できる。取得した画像の処理内容に関しては、詳細を後述する。
【００２６】
なお、一般に画像情報は大量のデータとなるため、画像処理装置１４は例えばＤＶＤレコーダなど単に画像情報を保存するのみとし、パソコンなどで構成する微粒子検出制御装置６内に送られてきた画像情報から微粒子の数や形状、大きさなどを精度良く演算し、その演算結果のデータのみを微粒子検出制御装置６内に保存するようにしてもよい。
【実施例２】
【００２７】
図３に、本発明の微粒子検出装置の第２実施例を示す。
この微粒子検出装置１は、微細管４の両端面４ａ、４ｂを溶液２１ａ、２１ｂに浸し、微粒子を含む試料を泳動液を用いて微細管電気泳動することにより微粒子を検出するものであり、微細管４の一部を略直角に折曲し、該折曲部８から微細管４内を軸方向に撮影する顕微鏡カメラ３を設けている。
この場合、微細管４の折曲部８の直角部分を挟む位置近傍を、検出窓８ａ、８ｂとしている。
また、この微粒子検出装置は、泳動液中の微粒子２０を予め蛍光染色し、微細管４の折曲部８で微粒子２０に励起光７を照射し、微粒子２０から発生する蛍光を検出するようにしている。
【００２８】
溶液２１ａ、２１ｂは、図１と同様に微細管４の両端面４ａ、４ｂに浸しているが、顕微鏡カメラ３の観察画像領域１３は別の溶液２３に浸す構成とし、合わせて検出窓８ａの軸方向と平行に、すなわち検出窓８ｂとは略直角になる方向から観察画像が対物レンズ１０に入光するように構成する。
この場合、溶液２１ｂは、溶液２３とは分離しているので、電気泳動の工程に合わせて自由に変更することのできる効果がある。
なお、溶液２３は、光の屈折を低減するために用いている。
【００２９】
また、励起光発光器２から発した励起光は、励起フィルタ、スリット、シリンドリカルレンズなどの組み合わせで構成される励起光集光部２ａで、対物レンズの焦点深度（被写界深度）ｄに近づけるよう十分集光して、ＣＣＤカメラのピントの合う位置に、励起光７として選択的に照射され、蛍光染色された微粒子２０がその位置を通過する時に照射される。
蛍光染色された微粒子２０は蛍光を発光し、対物レンズ１０より顕微鏡本体内に入射し、図示しない蛍光フィルタなどを透過し、その蛍光は蛍光検出器（ＣＣＤカメラ）１２に結像する。
なお、その他の作用効果は、図１と同様であるのでその説明を省略する。
【００３０】
図４は、画像処理装置１４により画像処理した結果を示す図である。主なキーには、４０開始キー、４１中止キー、４４終了キー等がある。
開始キー４０をクリックして微粒子の検出動作を開始すると、状態表示４５は検出中となり、経過時間は４６に表示し、コメント欄４７には異常の有無（ここでは正常）をそれぞれ表示する。
検出途中で検出動作を中止する場合は中止キー４１を、検出動作を終了する場合は終了キー４４をクリックする。
ＣＣＤカメラの出力画像は画像領域５０に表示される。
ここで、画像５１は微細管の管壁を、その間の画像５２は泳動溶液部の画像を示しており、蛍光色素で標識された微粒子を検出すると、例えば、５３のように表示される。
【００３１】
これらの検出画像の輝度、形状、面積、空間的位置などを表示するとともに、検出した検出微粒子５３に固有の番号を付す。この実施例では１個の微粒子を検出した場合の例を示す。
複数個検出した場合は、各検出した微粒子に対して、固有の番号を付すとよい。
なお、微粒子５３ａはピントの合う前のピンぼけ画像を示しており、ピントが合った時点で微粒子としてカウントすると同時に固有の番号を付す。その後は再びピントの合わない画像となり、この両面から消失することとなる。
【００３２】
ピントの合う条件は、各微粒子画像のエッジ条件の確認により、また、新しい微粒子の出現はピントが合った時の画像の位置、大きさとその色と輝度の確認、すなわち画像処理技術におけるトラッキング技術の適用により判定できる。
また、泳動溶液部の画像５２において、検出する微粒子の画像色・輝度やその面積等は、励起光７の強さ、対象とする微粒子の種類により変化する。
そこで、画像処理により検出する画像輝度値のレベル調整は、輝度値キー６０の▽をクリックすることにより変更する。また、検出する画像面積の調整は、面積キー６１の▽をクリックすることにより変更する。このような画像処理による微粒子検出技術は既存の技術であり容易に実現可能である。
【００３３】
さらに、本実施例では検出した輝度の合計値６２、検出した微粒子の面積の総和６３、検出した微粒子数の瞬時値６４、及び検出動作開始後に検出した微粒子の総和６５をそれぞれ表示している。
これにより、画像処理が正常に動作していることの確認ができる。
また、得られたデータは、微粒子検出制御装置６に内蔵するメモリ等に保存する。
【００３４】
かくして、木実施例の微粒子検出装置によれば、微細管内を電気泳動するすべての微粒子に対して励起光を照射できるとともに、蛍光顕微鏡により微粒子の蛍光発生により得られる画像に対して十分焦点を合わせて検出できることから、安定的に所望微粒子の検出を行うことができる。
【００３５】
なお、図５は、従来の微粒子検出装置の要部を示したものである。本実施例と同じ機能を有するものには同一記号を付した。
本実施例と相違する点は、顕微鏡カメラ３を微細管の検出窓９に対して略垂直としている点にある。
通常、微細管の内径は２０〜１００μｍ程度となるので、蛍光顕微鏡による焦点深度（被写界深度）ｄを２０〜１００μｍなどと深くすることは原理的に難しい。したがって、微細管内を微粒子が通過しても全く観察されないか、あるいはピントの合わないぼけた画像しか蛍光顕微鏡で処理できない。
【００３６】
例えば、５０μｍの内径を有する微細管の直角奥行き方向から４０倍の対物レンズを用いて観察できる微粒子が、従来は、その奥行き方向のごく一部（具体的にはピントの合う数μｍ程度といった一部分（内径５０μｍのわずか１０％））しか観察できなかった状況に対し、本実施例では、微細管電気泳動で泳動してくるすべての微粒子にピントを合わせて観察することができる。
【００３７】
以上、本発明の微粒子検出装置に関して、その実施例に基づいて説明したが、本発明は上記実施例に記載した構成に限定されるものではなく、その趣旨を逸脱しない範囲において適宜その構成を変更することができる。
【産業上の利用可能性】
【００３８】
本発明の微粒子検出装置は、各種微粒子を迅速かつ高感度に分離検出するという特性を有していることから、例えば、環境、食品及び医療分野等において、検体試料中の微粒子量を精度良く又は一斉分析する用途に好適に用いることができる。
【図面の簡単な説明】
【００３９】
【図１】本発明の微粒子検出装置の第１実施例を示す概略構成図である。
【図２】同微粒子検出装置における微粒子の検出画像の一例を示す図である。
【図３】本発明の微粒子検出装置の第２実施例を示す概略構成図である。
【図４】同微粒子検出装置の微粒子検出制御装置において画像処理結果を表示した画面を示す図である。
【図５】従来の微粒子検出装置を示す概略構成図である。
【符号の説明】
【００４０】
１    微粒子検出装置本体
２    励起光発光器
２ａ  励起光集光部
３    顕微鏡カメラ（顕微鏡）
４    微細管
４ａ  微細管端面
４ｂ  微細管端面
５    検出窓
６    微粒子検出制御装置
７    励起光
８    折曲部
８ａ  検出窓
８ｂ  検出窓
９    検出窓
１０  対物レンズ
１１  接眼レンズ
１２  蛍光検出器（ＣＣＤカメラ）
１３  カメラの観察画像領域
１４  画像処理装置
２０  微粒子
２０ａ  焦点の合った微粒子
２０ｂ  焦点の合う前の微粒子
２１ａ、２１ｂ  溶液
２２  高圧電源
２２ａ、２２ｂ  電極
２３  溶液
３０  検体溶液
４０  開始キー
４１  中止キー
４４  終了キー
４５  状態表示
４６  経過時間
４７  コメント欄
５０  画像領域
５１  微細管の管壁
５２  泳動溶液部の画像
５３  微粒子画像
５３ａ  焦点の合う前の微粒子画像
６０  輝度値調整キー
６１  面積調整キー
６２  輝度合計値
６３  微粒子の面積総和
６４  微粒子数の瞬時値
６５  微粒子数の総和
ｄ    焦点深度（被写界深度）
【図１】
2008116422.tif 000003
【図２】
2008116422.tif 000004
【図３】
2008116422.tif 000005
【図４】
2008116422.tif 000006
【図５】
2008116422.tif 000007